(57)【要約】【課題】本発明は、電気光学装置において、電気光学物質、例えば、液晶分子の配向を制御するラビング方向を変更することにより、ディスクリネーションの発生領域を移動させ、それに対応した透明電極の設計ルールを用いることにより、高精細かつ表示品位の高い電気光学装置を提供するものである。【解決手段】第１の基板と、前記第１の基板と対向配置される第２の基板と、前記第１の基板と前記第２の基板との間にシール材を介して挟持される電気光学物質とを備える電気光学装置において、正視角方向を電気光学装置の６時〜１２時の軸方向からずらすことにより、ディスクリネーション等のない表示品位の高い電気光学表示装置を提供することができる。【選択図】　　　図３
2004117693.tif 000002
【特許請求の範囲】
【請求項１】
第１の基板と、前記第１の基板と対向配置される第２の基板と、前記第１の基板と前記第２の基板との間にシール材を介して挟持される電気光学物質とを備える電気光学装置において、正視角方向が前記電気光学装置の６時〜１２時の軸方向からずれていることを特徴とする電気光学装置。
【請求項２】
前記電気光学装置において、正視角方向が、時計回りに、１０時方向から２時方向、または、４時方向から８時方向の範囲を有することを特徴とする請求項１に記載の電気光学装置。
【請求項３】
請求項１に記載の第１の基板上に、マトリクス状に配列された複数の樹脂層と、前記基板上及び複数の前記樹脂層上に配置された透明電極と、を備え、前記樹脂層の中心線と前記透明電極の中心線とが重ならないことを特徴とする電気光学パネル用基板。
【請求項４】
前記樹脂層の幅と、前記透明電極の幅とが、同一ではないことを特徴とする請求項３に記載の電気光学基板用パネル。
【請求項５】
複数の前記樹脂層の間には、遮光膜が設けられていることを特徴とする請求項３又は４に記載の電気光学パネル用基板。
【請求項６】
前記樹脂層の幅が、前記透明電極の幅よりも狭く、前記樹脂層から、前記透明電極がはみ出した部分は、左右非対称であることを特徴とする請求項３乃至５に記載の電気光学パネル用基板。
【請求項７】
前記樹脂層の幅が、前記透明電極の幅よりも広く、前記透明電極から、前記樹脂層がはみ出した部分は、左右非対称であることを特徴とする請求項３又は４に記載の電気光学パネル用基板。
【請求項８】
請求項１に記載の電気光学パネル用基板の前記第１の基板上に、複数の樹脂層をマトリクス状に形成する工程、及び、複数の前記樹脂層上に透明電極を形成する工程において使用され、前記透明電極の中心線に対して、前記樹脂層の中心線と重ならないように設計されていることを特徴とする露光用マスク。
【請求項９】
前記露光用マスクにおいて、前記透明電極の幅が、前記樹脂層の幅と同一でないことを特徴とする請求項８に記載の露光用マスク。
【請求項１０】
前記露光用マスクにおいて、前記透明電極の幅よりも、前記樹脂層の幅が広く、前記透明電極から、前記樹脂層がはみ出した部分は、左右非対称であることを特徴とする請求項８又は９に記載の露光用マスク。
【請求項１１】
請求項１に記載の電気光学パネル用基板の前記第１の基板の表面上に、複数の樹脂層をマトリクス状に形成し、複数の前記樹脂層の間に、遮光膜を形成する工程、及び、複数の前記樹脂層上に透明電極を形成する工程において使用され、前記樹脂層の中心線と前記透明電極の中心線とが重ならないように設計されていることを特徴とする露光用マスク。
【請求項１２】
前記露光用マスクにおいて、前記透明電極の幅が、前記樹脂層の幅と同一でないことを特徴とする請求項１１に記載の露光用マスク。
【請求項１３】
前記露光用マスクにおいて、前記透明電極の幅よりも、前記樹脂層の幅が狭く、前記樹脂層から、前記透明電極がはみ出した部分は、左右非対称であることを特徴とする請求項１１又は１２に記載の露光用マスク。
【請求項１４】
請求項８乃至１３のいずれか一項に記載の露光用マスクを用いることにより製造されることを特徴とする電気光学パネル用基板。
【請求項１５】
請求項１または２に記載の電気光学装置を備えることを特徴とする電子機器。
【発明の詳細な説明】
【０００１】
【発明の属する技術分野】
本発明は、電気光学装置および電気泳動装置に関し、特に液晶表示装置における表示品位向上に関する。
【０００２】
【背景技術】
近年、携帯電話機、ビデオカメラ、その他種々の電子機器の表示部分に電気光学装置、例えば、液晶表示装置が広く用いられている。この液晶表示装置は、液晶に所定の電圧を印加する方法によって、その液晶を制御することにより、光を変調し、文字や画像などを表示する。
【０００３】
上記液晶表示装置の表示方法は、例えば、ＳＴＮ（Ｓｕｐｅｒ−Ｔｗｉｓｔｅｄ　Ｎｅｍａｔｉｃ）−ＬＣＤ（Ｌｉｑｕｉｄ　Ｃｒｙｓｔａｌ　Ｄｉｓｐｌａｙ）モード、ＴＦＴ（Ｔｈｉｎ　Ｆｉｌｍ　Ｔｒａｎｓｉｓｔｏｒ）−ＬＣＤ（Ｌｉｑｕｉｄ　Ｃｒｙｓｔａｌ　Ｄｉｓｐｌａｙ）モードおよびＴＦＤ（Ｔｈｉｎ　Ｆｉｌｍ　Ｄｙｎｏｄｅ）−ＬＣＤ（Ｌｉｑｕｉｄ　Ｃｒｙｓｔａｌ　Ｄｉｓｐｌａｙ）モードなどが挙げられる。上記ＳＴＮ−ＬＣＤモードは、液晶の捩れ角（ツイスト角）を、例えば、２００〜２７０°回転させることにより、コントラストを向上させ、低価格の液晶表示装置を提供している。また、上記ＴＦＴ−ＬＣＤモードやＴＦＤ−ＬＣＤモードは、液晶のスイッチング素子として、ＴＦＴやＴＦＤを使用している。上記ＴＦＴ−ＬＣＤモードおよびＴＦＤ−ＬＣＤモードは、上記ＳＴＮ−ＬＣＤモードよりも、プロセスが複雑となり、価格は高くなるが、クロストークや応答速度などの面で、優れている。
【０００４】
例えば、上記ＳＴＮ−ＬＣＤモードは、基板の電極上に配向膜を塗布し、液晶が２４０°から２７０°に捩れるようにカイラル化合物の添加量とセルギャップの調節が行われる。具体的には、セルギャップｄと捩れのピッチｐの比ｄ／ｐを０．６から０．９程度にするのが、一般的に好ましいといわれる。この範囲の上下の差をｄ／ｐマージンと呼び、この値の大きいものほど安定な液晶表示装置を得ることができる。
【０００５】
液晶の捩れによる欠陥は、総称してディスクリネーションと呼ばれる。上記ディスクリネーションの発生には、液晶の粘弾性特性が大きく影響するといわれている。つまり、液晶分子が、印加状態から無印加状態に変化するとき、液晶分子の動作にばらつきが起こり、ディスクリネーションが発生する。つまり、液晶分子が、バランスを失うと、ディスクリネーションを発生するのである。
【０００６】
例えば、液晶分子と基板のなす角度（プレチルト角）αが、０であると仮定する。このような場合、液晶層に電圧を印加すると、液晶分子は、その長軸が電界の方向（基板に垂直）に並ぶ。上記液晶分子の立ち上がり方は、長軸方向の右または左からの立ち上がり方の２通りの動作をとる可能性が発生する。要するに、プレチルト角が０の場合、電圧を印加すると、チルト角の方向が互いに逆の領域（リバースチルト）に発生することになり、その領域にディスクリネーションが発生し、コントラストの低減や残像などの表示品位の低下に結びつく不良が発生する要因になるのである。
【０００７】
したがって、特に、ＳＴＮ―ＬＣＤモードのディスクリネーションの低減には、上記プレチルト角αは、ＴＦＴ−ＬＣＤやＴＦＤ−ＬＣＤのようなＴＮ−ＬＣＤモードの場合よりも比較的大きい値を有し、４°から１５°にするのが好ましい。これは、ＴＮ−ＬＣＤモードよりＳＴＮ−ＬＣＤモードは、液晶分子の捩れ角、つまり、ツイスト角が大きいため、プレチルト角の値を大きくとり、安定した液晶分子の動作を実施することにより、ディスクリネーションの発生を低減するのである。
【０００８】
しかし、上記プレチルト角の検討だけで、ディスクリネーションを抑制することは、困難である。液晶層における不必要な電界が、液晶分子の動作に悪影響を与えるためである。例えば、同一基板上に設けられた画素の表示電極の端部と電極配線との間に、発生する不必要な横方向電界は、ディスクリネーションの発生を引き起こす１つの要因になる。または、画素の表示電極の端部と対向する基板の電極配線との間に発生する電界の影響によっても、同様に、ディスクリネーションの発生を引き起こす要因になるのである。
【０００９】
したがって、表示電極の周辺にカラーフィルタの遮光膜（ブラックマトリクス）を設け、ディスクリネーションが発生した領域を覆い隠すことにより、表示領域から隠し、観察者の目に触れることなく、液晶表示装置におけるコントラストの低下や、表示不良を防ぐことを実施することが多い（例えば、特許文献１参照）。
【００１０】
【特許文献１】特開２００１−３３０８３２号公報（第４頁―第５頁
、
【図２】）
【発明が解決しようとする課題】
上述したように、液晶表示装置に設けられている液晶層を駆動させると、液晶分子のディスクリネーションが発生することが多い。
【００１１】
下記に、ディスクリネーションの表示画面に発生する状態について詳細を示す。
【００１２】
例えば、ノーマリホワイトモードの液晶表示装置は、各画素にオン電圧を印加して黒表示にする。このとき、隣同士の画素に印加する電圧の極性が逆の場合、発生するディスクリネーションは、明るくなり、各画素の境界線付近に発生しやすい。このように、液晶表示装置は、上記ディスクリネーションの発生により、本来の黒表示よりも光が漏れてしまい、コントラストの低下などといった表示品位の低下につながるのである。
【００１３】
また、ディスクリネーションを発生させないためには、すべての画素に印加する電圧の極性を同じにして、フレームごとの極性反転だけを実施する駆動方法をとることもできるが、画面上にチラツキ不良などが発生するため、良好な対策とはいえない。
【００１４】
また、上述したようなディスクリネーションの発生領域を、すべて遮光膜で覆い隠す方法は、現在、液晶表示装置の高精細化がすすむにつれ、技術的に限界がきている。高精細化液晶表示装置の場合、ディスクリネーションの発生部分を、すべて遮光膜で覆い隠すと、開口率が低下する。つまり、液晶表示パネルの透過率が低下し、表示特性が暗くなってしまうということが発生してしまうので、好ましくないのである。
【００１５】
本発明の目的は、上記の点を鑑みてなされたものであり、液晶表示装置の正視角方向に基づいた透明電極の設計ルールを用いることにより、高精細かつ表示品位の高い液晶表示装置を提供するものである。
【００１６】
【課題を解決するための手段】
本発明の１つの観点では、第１の基板と、上記第１の基板と対向配置される第２の基板と、上記第１の基板と上記第２の基板との間にシール材を介して挟持される電気光学物質とを備える電気光学装置において、正視角方向が電気光学装置の６時〜１２時の軸方向からずれていることが好ましい。本発明は、正視角方向が電気光学装置の６時〜１２時の軸方向からずらすことにより、表示領域に存在する電気光学物質、例えば、液晶の動作が良好となり、上記電気光学装置の表示品位を向上することができる。
【００１７】
上記電気光学装置の一態様では、正視角方向が、時計回りに、１０時方向から２時方向、または、４時方向から８時方向の範囲を有することが好ましい。本発明は、上記正視角方向の範囲を用いることにより、観察者に、６時視角または１２時視角を有する電気光学装置と、同様な視角特性を認識させ、表示品位の高い電気光学装置を提供することができる。
【００１８】
本発明の他の観点では、電気光学パネル用基板において、上記第１の基板上に、マトリクス状に配列された複数の樹脂層と、上記基板上及び複数の上記樹脂層上に配置された透明電極と、を備え、上記樹脂層の中心線と上記透明電極の中心線とが重ならないことが好ましい。例えば、上記電気光学装置の視角方向が７時視角を有するとき、上記電気光学物質の動作不良は、主に、ドットの片側に発生しやすく、この場合、観察者側から見た右側方向に、上記透明電極の中心線を、移動させるのが好ましい。つまり、上記透明電極の中心線を上記樹脂層の中心線からずらすことにより、上記電気光学装置に設けられた上記電気光学物質の動作が良好な領域を有効に用いて、上記電気光学装置を製造することができる。
【００１９】
上記電気光学パネル用基板は、上記樹脂層の幅と、上記透明電極の幅とが、同一ではないことが好ましい。
【００２０】
上記電気光学パネル用基板の一態様では、複数の上記樹脂層の間には、遮光膜が設けられていることが好ましい。
【００２１】
上記電気光学パネル用基板の他の一態様では、上記樹脂層の幅が、上記透明電極の幅よりも狭く、上記樹脂層から、上記透明電極がはみ出した部分は、左右非対称であることが好ましい。上記透明電極がはみ出した部分が、左右非対称性を有する理由は、上記透明電極が配置されていない領域に、上記電気光学物質の動作不良領域を存在させ、上記透明電極が配置されている領域に、上記電気光学物質の動作良好領域を存在させるためである。上記透明電極を設けられた上記電気光学用基板を用いて、上記電気光学装置を作製した場合、上記電気光学物質の動作が良好な領域を表示領域として有効に使用することができる。
【００２２】
本発明の他の観点では、電気光学パネル用基板において、上記樹脂層の幅が、上記透明電極の幅よりも広く、上記透明電極から、上記樹脂層がはみ出した部分は、左右非対称であることが好ましい。上記樹脂層と上記透明電極を用いることにより遮光膜を有さない電気光学パネル用基板を用いた場合でも、表示品位の高い電気光学装置を製造することができる。
【００２３】
本発明の他の観点では、上記電気光学パネル用基板の製造方法に用いる露光用マスクは、上記電気光学パネル用基板の上記第１の基板上に、複数の樹脂層をマトリクス状に形成する工程、及び、複数の上記樹脂層上に透明電極を形成する工程において使用され、上記透明電極の中心線に対して、上記樹脂層の中心線と重ならないことが好ましい。
【００２４】
上記露光用マスクは、上記透明電極の幅が、上記樹脂層の幅と同一でないことが好ましい。
【００２５】
上記露光用マスクの一態様では、上記透明電極の幅よりも、上記樹脂層の幅が広く、上記透明電極から、上記樹脂層がはみ出した部分は、左右非対称であることが好ましい。
【００２６】
本発明の他の観点では、上記電気光学パネル用基板の製造方法に用いる露光用マスクは、上記電気光学パネル用基板の上記第１の基板の表面上に、複数の樹脂層をマトリクス状に形成し、複数の上記樹脂層の間に、遮光膜を形成する工程、及び、複数の上記樹脂層上に透明電極を形成する工程において使用され、上記樹脂層の中心線と上記透明電極の中心線とが重ならないことが好ましい。
【００２７】
上記露光用マスクは、上記透明電極の幅が、上記樹脂層の幅と同一でないことが好ましい。
【００２８】
上記露光用マスクの一態様では、上記透明電極の幅よりもが、上記樹脂層の幅が狭く、上記樹脂層から、上記透明電極がはみ出した部分は、左右非対称であることが好ましい。
【００２９】
本発明の他の観点では、上記電気光学パネル用基板は、上記露光用マスクを用いることにより製造されることができる。本発明は、上記露光用マスクにて、上記電気光学パネル用基板を製造することにより、上記透明電極が配置されていない領域に、上記電気光学物質の動作不良領域を存在させ、上記透明電極が配置されている領域に、上記電気光学物質の動作良好領域を存在させることができる。
【００３０】
また、本発明の他の観点では、上記電気光学装置を備える電子機器を構成することができる。
【００３１】
【発明の実施の形態】
以下、図面を参照して本発明の好適な実施の形態について説明する。
【００３２】
［実施形態］
本実施形態は、液晶表示装置の視角方向を、１２時〜６時の視角方向軸から、ずらすことにより、ディスクリネーションの発生領域を移動させる。そして、上記ディスクリネーションの発生していない領域に透明電極を設けることにより、液晶表示装置の画面表示品位を向上し、高精細かつ表示品位の高い液晶表示装置を提供することを目的とする。
【００３３】
［液晶表示パネル］
図１に本実施形態を利用した液晶表示装置の構成を示す。ただし、図１に示した液晶表示装置１００は、透過型液晶表示装置を示しているが、本発明は、半透過反射型液晶表示装置および反射型表示装置にも使用することができる。
【００３４】
まず、液晶表示装置１００の構成について説明する。
【００３５】
ガラスなどの絶縁性基板１ａ、１ｂの表面に透明電極２ａ、２ｂがそれぞれ形成されると共に、液晶分子を一定方向に配向させる図示しない配向膜がさらに設けられる。２枚の絶縁性基板１ａ、１ｂは、図示しないスペーサにより一定の間隔を保持しながら、上述の透明電極が対向するように、その周囲をシール材３により貼着されている。そして、上記シール材３によって貼り合わせられた２枚の絶縁性基板１ａ、１ｂの隙間に、液晶材料が設けられ、液晶層４が２枚の絶縁性基板１ａ、１ｂにより挟持される。さらに絶縁性基板１ａ、１ｂの外側には、それぞれ偏光板５ａ、５ｂや位相差板６ａ、６ｂが貼着され、これらにより液晶表示パネルが形成されている。
【００３６】
なお、例えば、絶縁性基板１ｂには、スイッチング素子などが形成されていても良いし、また、例えば、絶縁性基板１ａには、カラーフィルタ７、８、９や、保護膜１０などが形成されていても良い。
【００３７】
上記透明電極２ａ、２ｂに電圧が印加されることにより、その間に挟持されている液晶分子の配列が変化し、偏光板５ａ、５ｂの吸収軸の方向と共にバックライトユニット１０１からの光の透過および不透過が制御され、所望の表示を得ることができる。
【００３８】
本発明による液晶表示装置１００は、液晶表示装置の正視角方向を６時〜１２時の軸方向からずらすことにより、ディスクリネーションの発生領域の片側を減少させ、液晶の配向性が良好な領域に、透明電極２ａを設けている。
【００３９】
例えば、液晶表示装置の下側、つまり、バックライト１０１側にカラーフィルタ基板が設けられ、正視角方向が、５時視角を示すようにラビング方向を決定する。正視角方向が５時視角を示す場合、正視角方向から観察した各ドットの左側領域のディスクリネーションの発生が低減する。そのため、透明電極２ａの中心線の配置をカラーフィルタの中心線よりも左側にずらす設計ルールが好ましい。上記設計ルールを用いることにより、表示領域における液晶の配向性は良好であり、液晶表示装置１００の表示品位は向上する。
【００４０】
また、例えば、バックライト１０１側にカラーフィルタ基板が設けられ、正視角方向が、７時視角を示すようにラビング方向を決定する。正視角方向が、７時視角を示す場合、正視角方向から観察した各ドットの右側領域のディスクリネーションの発生が低減する。そのため、透明電極２ａの中心線の配置をカラーフィルタの中心線よりも右側にずらす設計ルールが好ましい。上記設計ルールを用いることにより、表示領域における液晶の配向性は良好であり、液晶表示装置１００の表示品位は向上する。
【００４１】
したがって、上述したように、正視角方向と、透明電極２ａの配置を関連付けて、液晶表示装置を作製することにより、ディスクリネーションが発生した場合でも、表示領域以外のところで発生するため、液晶表示装置１００の表示品位は良好といえる。
【００４２】
また、本発明による液晶表示装置は、観察者側にカラーフィルタ基板が設けられている場合にもディスクリネーションについて改善することができる。また、本発明は、遮光膜を有さないカラーフィルタ基板においても、同様にディスクリネーションについて改善することができ、表示品位の高い液晶表示装置を提供することができる。
【００４３】
［ラビング方向と透明電極の設計ルール］
図２（ａ）、図３（ａ）、図４（ａ）は、観察者側から液晶表示装置を観察したときのラビング方向を示す。上記ラビング方向とは、液晶分子の長軸方向が、配向膜上に、その端部を持ち上げるように傾く方向のことを示す。この図では、９時〜３時方向をＸ軸とし、６時〜１２時方向をＹ軸とする。実線の矢印が、観察者側の基板、上側基板１ｂのラビング方向を示し、破線の矢印が、下側基板１ａのラビング方向を示す。
【００４４】
図２（ｂ）、図３（ｂ）、図４（ｂ）は、カラーフィルタ赤（Ｒ）７、カラーフィルタ緑（Ｇ）８、カラーフィルタ青（Ｂ）９、遮光膜（ブラックマトリクス）１０、透明電極２ａの設計ルールについて平面図を示したものである。
【００４５】
図２（ａ）は、従来技術による液晶表示装置のラビング方向を示し、図２（ｂ）は、従来技術の設計ルールに基づいて作製された基板１ｃ上のカラーフィルタの平面図を示す。
【００４６】
図２（ａ）に示す液晶表示装置は、ＳＴＮモードであり、この液晶表示装置の正視角方向Ｌ１は、６時視角である。また、上記液晶表示装置には、左旋性の液晶分子を用い、２４０°の捩れを有している。そして、実線の矢印Ａは、上側基板１ｂのラビング方向を示し、破線の矢印Ｂは、下側基板１ｃのラビング方向を示す。
【００４７】
上記実線の矢印Ａは、Ｘ軸方向から時計回りに、３０°回転した方向を示している。また、破線の矢印Ｂは、Ｘ軸方向から半時計回りに、３０°回転した方向を示している。このとき、実線の矢印Ａと破線の矢印Ｂのラビング方向を有した配向膜は、液晶分子の２４０°の捩れを安定させている。
【００４８】
図２（ｂ）に示すカラーフィルタ８の中心線１２と透明電極２ａの中心線１３は、一致するようにマスク設計され、カラーフィルタ８と透明電極２ａの重なり部からはみ出した部分の幅ｍとｎは、ほぼ同様な値を有している。
【００４９】
上述したような従来技術を用いると、液晶分子の捩れによる欠陥、要するにディスクリネーションは、カラーフィルタおよび透明電極の両端領域ＣおよびＤにおいて、同様に発生しやすい。つまり、同一基板上における隣同士の透明電極との間に発生する電界の影響、または、画素の表示電極の端部と対向する基板の電極配線との間に発生する電界の影響が、ディスクリネーションの発生を引き起こしているのである。
【００５０】
したがって、従来技術の場合、液晶表示装置の高精細化がすすむにつれ、開口率を優先した設計ルールを用いると、表示領域にディスクリネーションが発生してしまう。そのため、コントラストの低下などが液晶表示装置に発生する。
【００５１】
図３（ａ）は、本発明による液晶表示装置のラビング方向を示し、図３（ｂ）は、本発明の設計ルールに基づいて作製された基板１ａ上のカラーフィルタの平面図を示す。この平面図は、ストライプ配列を示しているが、本発明は、例えば、モザイク配列、デルタ配列、などを有した基板についても使用することもできる。
【００５２】
図３（ａ）に示す液晶表示装置は、ＳＴＮモードであり、この液晶表示装置の正視角方向Ｌ２は、４時視角である。また、上記液晶表示装置には、左旋性の液晶分子を用い、２４０°の捩れを有している。そして、実線の矢印Ａは、上側基板１ｂのラビング方向を示し、破線の矢印Ｂは、下側基板１ａのラビング方向を示す。
【００５３】
上記正視角方向は、４時視角であるが、観察者には、ほとんど、６時視角の液晶表示装置の視角特性と同様な認識を与える。観察者に、６時視角の視角特性と同様な印象を与える正視角方向は、４時方向から８時方向に時計回りの間が好ましい。また、観察者に、例えば、１２時視角特性と同様な印象を与える正視角方向は、２時方向から１０時方向に反時計回りの間が好ましい。
【００５４】
上記液晶表示装置には、左旋性の液晶分子を用い、２４０°の捩れを有している。しかし、本発明の液晶分子のツイスト角は、２４０°に限定されることなく使用することができる。
【００５５】
図示したラビング方向に関して、実線の矢印Ａは、上側基板１ｂのラビング方向を示し、破線の矢印Ｂは、下側基板１ａのラビング方向を示す。上記実線の矢印Ａは、Ｘ軸方向から半時計回りに、３０°回転した方向を示している。また、破線の矢印Ｂは、Ｙ軸と同様の方向を示している。このとき、実線の矢印Ａと破線の矢印Ｂのラビング方向を有した配向膜は、液晶分子の２４０°の捩れを安定させている。上記ラビング方向により、液晶表示装置の正視角方向Ｌ２は４時方向を示しているが、観察者には、正視角方向が、６時方向の液晶表示装置の視角特性と、ほぼ同様の認識を与えることができる。
【００５６】
４時視角を有する液晶表示装置の場合、ディスクリネーションの発生領域Ｄの方が、発生領域Ｃよりも小さくなる。したがって、本発明は、ディスクリネーションが消滅し、良好な液晶の配向特性を有する領域に、透明電極２ａを設けることにより、良好な表示特性を得ることができる。
【００５７】
次に、上記透明電極２ａの設計ルールについて詳細を示す。
【００５８】
図３（ｂ）に示すカラーフィルタ８の中心線１２と透明電極２ａの中心線１３は、図示するように、透明電極２ａの中心線１３が、左側にずれている。このとき、例えば、カラーフィルタ８の中心線１２と透明電極２ａの中心線１３のずれ量は、１μｍが好ましい。この設計ルールを用いたときの、図示したｍ（透明電極がカラーフィルタからはみだした部分）は、１μｍが好ましい。また、この設計ルールを用いたときの、図示したｎ（透明電極がカラーフィルタからはみだした部分）は、３μｍが好ましい。
【００５９】
したがって、液晶表示装置の視角方向が、４時方向から６時方向に時計回りの間の視角方向を示す場合、カラーフィルタ８と透明電極２ａの重なり部からはみ出した部分ｍとｎは、ｍ＜ｎの関係になることが好ましい。また、上述した設計ルールは、カラーフィルタの混色が発生しない設計ルールに基づいて、上記のｍ＜ｎの関係を有したカラーフィルタと透明電極２ａを配置することができる。
【００６０】
本発明は、上述したラビング方向を設定することにより、従来技術においてカラーフィルタ７、８、９と透明電極２ａの端部に発生していたディスクリネーションの発生領域をずらすことができる。そして、ディスクリネーションが消滅した領域に透明電極２ａを配置することにより、表示領域における液晶分子の配向性を良好とすることができる。要するに、正視角方向を変更、つまり、ラビング方向を変更することにより、カラーフィルタ７、８、９の右側端部および透明電極２ａの右側端部に発生するディスクリネーションの発生領域Ｄが減少する。そのため、良好な液晶配向を得られる領域を有効に使用するために、従来の設計ルールよりも、透明電極２ａの位置を左側に配置する。これにより、表示領域における液晶分子の配向性は良好になる。
【００６１】
図４（ａ）は、本発明による液晶表示装置のラビング方向を示し、図４（ｂ）は、本発明の設計ルールに基づいて作製された基板１ａ上のカラーフィルタの平面図を示す。この平面図は、ストライプ配列を示しているが、本発明は、例えば、モザイク配列、デルタ配列、などを有した基板も使用することもできる。
【００６２】
図４（ａ）に示す液晶表示装置は、ＳＴＮモードであり、この液晶表示装置の正視角方向Ｌ３は、７時視角である。また、上記液晶表示装置には、左旋性の液晶分子を用い、２４０°の捩れを有している。そして、実線の矢印Ａは、上側基板１ｂのラビング方向を示し、破線の矢印Ｂは、下側基板１ａのラビング方向を示す。
【００６３】
上記正視角方向は、７時視角であるが、観察者には、ほとんど、６時視角の液晶表示装置の視角特性と同様な認識を与える。観察者に、６時視角の視角特性と同様な印象を与える正視角方向は、４時方向から８時方向に時計回りの間が好ましい。また、観察者に、例えば、１２時視角特性と同様な印象を与える正視角方向は、２時方向から１０時方向に反時計回りの間が好ましい。
【００６４】
上記液晶表示装置には、左旋性の液晶分子を用い、２４０°の捩れを有している。しかし、本発明の液晶分子のツイスト角は、２４０°に限定されることなく使用することができる。
【００６５】
図示したラビング方向に関して、実線の矢印Ａは、上側基板１ｂのラビング方向を示し、破線の矢印Ｂは、下側基板１ａのラビング方向を示す。上記実線の矢印Ａは、Ｘ軸方向から時計回りに、６０°回転した方向を示している。また、破線の矢印Ｂは、Ｘ軸上を示している。このとき、実線の矢印Ａと破線の矢印Ｂのラビング方向を有した配向膜は、液晶分子の２４０°の捩れを安定させている。上記ラビング方向により、液晶表示装置の正視角方向Ｌ３は７時方向を示しているが、観察者には、正視角方向が、６時方向の液晶表示装置の視角特性と、ほぼ同様の認識を与えることができる。
【００６６】
７時視角を有する液晶表示装置の場合、ディスクリネーションの発生領域Ｃの方が、発生領域Ｄよりも小さくなる。したがって、本発明は、ディスクリネーションが消滅し、良好な液晶の配向特性を有する領域に、透明電極２ａを設けることにより、良好な表示特性を得ることができる。
【００６７】
次に、上記透明電極２ａの設計ルールについて詳細を示す。
【００６８】
図４（ｂ）に示すカラーフィルタ８の中心線１２と透明電極２ａの中心線１３は、図示するように、透明電極２ａの中心線１３が、右側にずれている。このとき、例えば、カラーフィルタ８の中心線１２と透明電極２ａの中心線１３のずれ量は、１μｍが好ましい。この設計ルールを用いたときの、図示したｎ（透明電極がカラーフィルタからはみだした部分）は、１μｍが好ましい。また、この設計ルールを用いたときの、図示したｍ（透明電極がカラーフィルタからはみだした部分）は、３μｍが好ましい。
【００６９】
したがって、液晶表示装置の視角方向が、６時方向から８時方向に時計回りの間の視角方向を示す場合、カラーフィルタ８と透明電極２ａの重なり部からはみ出した部分ｍとｎは、ｍ＞ｎの関係になることが好ましい。また、上述した設計ルールは、カラーフィルタの混色が発生しない設計ルールに基づいて、上記のｍ＞ｎの関係を有したカラーフィルタと透明電極２ａを配置することができる。
【００７０】
本発明は、上述したラビング方向を設定することにより、従来技術においてカラーフィルタ７、８、９と透明電極２ａの端部に発生していたディスクリネーションの発生領域をずらすことができる。そして、ディスクリネーションが消滅した領域に透明電極２ａを配置することにより、表示領域における液晶分子の配向性を良好とすることができる。要するに、正視角方向を変更、つまり、ラビング方向を変更することにより、カラーフィルタ７、８、９の左側端部および透明電極２ａの左側端部に発生するディスクリネーションの発生領域Ｃが減少する。そのため、良好な液晶配向を得られる領域を有効に使用するために、従来の設計ルールよりも、透明電極２ａの位置を右側に配置する。そのため、表示領域における液晶分子の配向性は良好になる。
【００７１】
したがって、本発明は、例えば、視角方向を６時視角から、ずらした視角を用いて、ディスクリネーションの発生領域を移動させ、液晶の配向性が良好な領域を表示領域とすることにより、表示品位の高い液晶表示装置を提供することができる。
【００７２】
また、本発明の液晶表示装置は、２４０°の捩れを有するＳＴＮモードにて詳細を記しているが、他の液晶分子のツイスト角を有するモードでも使用することができる。また、上述した透明電極の設計は、液晶表示装置の下側基板にカラーフィルタを有するものを例としてあげているが、上側基板にカラーフィルタを設置した液晶表示装置にも使用することができる。
【００７３】
したがって、上述したように、視角方向と、透明電極の配置を関連付けて定めることにより、液晶分子の配向不良といえるディスクリネーションが発生したとしても、表示領域以外のところで発生するため、表示特性は良好といえる。したがって、本発明は、液晶配向不良のない、表示品位の高い、良好な液晶表示装置を提供することができる。
【００７４】
［液晶表示パネルの製造方法］
次に、図１に示した液晶表示装置１００を製造する方法について、図５を参照して説明する。図５は、液晶表示装置１００の製造工程を示すフローチャートである。
【００７５】
まず、上記の実施形態による基板１ａが製造される（工程Ｓ１）。さらに、カラーフィルタ赤７、カラーフィルタ緑８、カラーフィルタ青９の上に設けられたオーバーコート層１０の上に透明導電膜２ａをスパッタリング法により成膜し、フォトリソグラフィ方式によってパターニングを実施し、透明電極２ａを形成する（工程Ｓ２）。本発明の透明電極２ａは、上述したように、液晶表示装置の視角方向に関連付けて、配置されている。
【００７６】
その後、透明電極２ａ上に図示しないポリイミド樹脂などからなる配向膜を形成し、ラビング処理などを施す（工程Ｓ３）。上記ラビング方向は、上述したように、透明電極２ａの設計に関連している。
【００７７】
一方、基板１ｂの基板を製作し（工程Ｓ４）、同様の方法で透明電極２ｂを形成し（工程Ｓ５）、さらに透明電極上に図示しない配向膜を形成し、ラビング処理などを施す（工程Ｓ６）。
【００７８】
上記ラビング方向は、例えば、６時視角を目的とした擬似視角、例えば、７時方向にすることにより、ディスクリネーションの発生領域を変更することができる。６時視角を目的とした擬似視角は、４時方向から８時方向までの時計回りの間の視角方向であれば、観察者に視角特性の違和感を与えることなく、ディスクリネーションの発生領域を変更することができる。そして、上記ディスクリネーションの発生していない領域に透明電極を設けることにより、表示領域からディスクリネーションの発生を抑制することができる。
【００７９】
例えば、ＳＴＮモードによる液晶表示装置に、左旋性の液晶分子を用い、２４０°の捩れを施し、６時視角の擬似視角を７時方向とする。この場合、観察者側の上側基板１ｂのラビングＡ方向は、Ｙ軸から半時計回りに３０°有し、また、観察者側の下側基板１ａのラビングＢ方向は、Ｘ軸上の方向を有する。このときの透明電極の設計ルールは、カラーフィルタ８の中心線１２と透明電極２ａの中心線１３は、透明電極２ａの中心線１３が、カラーフィルタ８の中心線１２よりも右側にずれている。このとき、例えば、カラーフィルタ８の中心線１２と透明電極２ａの中心線１３のずれ量は、１μｍが好ましい。このずれ量は、カラーフィルタの混色が発生しない設計ルールに基づいて、透明電極を設けることが好ましい。
【００８０】
そして、シール材３を介して、上記の基板１ａと基板１ｂを貼り合わせて、パネル構造を形成する（工程Ｓ７）。基板１ａと基板１ｂとは、基板間に分散配置された図示しないスペーサなどによって、ほぼ規定の基板間隔となるように貼り合わせられる。その後、シール材３の図示しない開口部から液晶４を注入し、シール材の開口部を紫外線硬化性樹脂などの封止材によって、封止する（工程Ｓ８）。こうして主要なパネル構造が完成した後に、偏光板５ａ、５ｂや位相差板６ａ、６ｂなどを必要に応じてパネル構造の外面上に貼着などの方法によって取り付け（工程Ｓ９）、図１に示す液晶表示装置１００が完成する。
【００８１】
上述したように、本発明は、液晶表示装置の視角方向を定めるラビング方向と透明電極の設計ルールを関連付けることにより、液晶分子の配向不良であるディスクリネーションが発生したとしても、表示領域以外のところで発生するため、表示特性は良好といえる。したがって、本発明は、液晶配向不良のない、表示品位の高い、良好な液晶表示装置を提供することができる。
【００８２】
（その他の実施例）
本発明は、遮光膜を有する液晶表示装置について、詳細を説明しているが、遮光膜を有さない液晶表示装置についても同様に使用することができる。
【００８３】
また、本発明は、液晶分子の配向処理として、ラビング法を用いて実施例を説明しているが、上述したラビング法以外の配向方法も、使用することができ、例えば、ＳｉＯ斜方蒸着法や光配向技術などでも、実施することができる。
【００８４】
［電子機器］
図６は、本実施形態の全体構成を示す概略構成図である。ここに示す電子機器は、上記の液晶表示装置１００と、これを制御する制御手段１１０を有する。ここでは、液晶表示装置１００を、パネル構造体１００Ａと、半導体ＩＣなどで構成される駆動回路１００Ｂとに概念的に分けて描いてある。また、制御手段１１０は、表示情報出力源１１１と、表示情報処理回路１１２と、電源回路１１３と、タイミングジェネレータ１１４と、を有する。
【００８５】
表示情報出力源１１１は、ＲＯＭ（Ｒｅａｄ　Ｏｎｌｙ　Ｍｅｍｏｒｙ）やＲＡＭ（Ｒａｎｄｏｍ　Ａｃｃｅｓｓ　Ｍｅｍｏｒｙ）などからなるメモリと、磁気記録ディスクや光記録ディスクなどからなるストレージユニットと、デジタル画像信号を同調出力する同調回路とを備え、タイミングジェネレータ１１４によって生成された各種のクロック信号に基づいて、所定フォーマットの画像信号などの形で表示情報を表示情報処理回路１１２に供給するように構成されている。
【００８６】
表示情報処理回路１１２は、シリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫとともに駆動回路１００Ｂへ供給する。駆動回路１００Ｂは、走査線駆動回路、データ線駆動回路及び検査回路を含む。また、電源回路１１３は、上述の各構成要素にそれぞれ所定の電圧を供給する。
【００８７】
次に、本発明に係る液晶表示装置を適用可能な電子機器の具体例について図７を参照して説明する。
【００８８】
まず、本発明に係る液晶表示装置を、可搬型のパーソナルコンピュータ（いわゆるノート型パソコン）の表示部に適用した例について説明する。図７（ａ）は、このパーソナルコンピュータの構成を示す斜視図である。同図に示すように、パーソナルコンピュータ２１０は、キーボード２１１を備えた本体部２１２と、本発明に係る液晶表示装置を適用した表示部２１３とを備えている。
【００８９】
続いて、本発明に係る液晶表示装置を、携帯電話機の表示部に適用した例について説明する。図７（ｂ）は、この携帯電話機の構成を示す斜視図である。同図に示すように、携帯電話機２２０は、複数の操作ボタン２２１のほか、受話口２２２、送話口２２３とともに、本発明に係る液晶表示装置を適用した表示部２２４を備える。
【００９０】
なお、本発明に係る液晶表示パネルを適用可能な電子機器としては、図７（ａ）に示したパーソナルコンピュータや図７（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【００９１】
［変形例］
また、本発明の電気光学装置は、パッシブマトリクス型の液晶表示パネルだけではなく、アクティブマトリクス型の液晶表示パネル（例えば、ＴＦＴ（薄膜トランジスタ）やＴＦＤ（薄膜ダイオード）をスイッチング素子として備えた液晶表示パネル）にも同様に適用することが可能である。また、液晶表示パネルだけでなく、エレクトロルミネッセンス装置、有機エレクトロルミネッセンス装置、プラズマディスプレイ装置、電気泳動ディスプレイ装置、フィールド・エミッション・ディスプレイ（電界放出表示装置）などの各種の電気光学装置においても本発明を同様に適用することが可能である。
【図面の簡単な説明】
【図１】本発明を適用した液晶表示装置の断面図の例を示す。
【図２】（ａ）従来技術による液晶表示装置のラビング方向の例を示す図である。
（ｂ）従来技術による透明電極の設計ルール例を示す拡大図である。
【図３】（ａ）本発明による液晶表示装置のラビング方向の例を示す図である。
（ｂ）本発明による透明電極の設計ルールの例を示す拡大図である。
【図４】（ａ）本発明による液晶表示装置のラビング方向の例を示す図である。
（ｂ）本発明による透明電極の設計ルールの例を示す拡大図である。
【図５】本発明を適用した液晶表示装置の主要な製造工程を示す図である。
【図６】本発明を適用した液晶表示装置を利用する電子機器の構成を示す。
【図７】本発明を適用した液晶表示装置を備えた電子機器の例を示す。
【符号の説明】
１ａ、１ｂ、絶縁性基板
２ａ、２ｂ、透明電極
３、シール材
４、液晶層
５ａ、５ｂ、偏光板
６ａ、６ｂ、位相差板
７、カラーフィルタ赤
８、カラーフィルタ緑
９、カラーフィルタ青
１０、遮光膜（ブラックマトリクス）
１１、保護膜
１２、カラーフィルタの中心線
１３、透明電極の中心線
１００、液晶表示装置
【図１】
2004117693.tif 000003
【図２】
2004117693.tif 000004
【図３】
2004117693.tif 000005
【図４】
2004117693.tif 000006
【図５】
2004117693.tif 000007
【図６】
2004117693.tif 000008
【図７】
2004117693.tif 000009